(57)【要約】      （修正有）【課題】ボルトの長さが足りなくて延長用のボルトを接続した場合に、振動により弛んで抜けてしまうことのない二連式ナットを提供する。【解決手段】二連式ナット１００は、柱状体の本体に内周面が螺旋状の雌ネジとなるようにネジ穴２００、２０１を２つ上底面から下底面まで貫通させ、ネジ穴２００のうち一方に螺合させたボルトと直交して接するビスを通すために、本体の側面のうち正面側から奥に向かってビス穴２１０を空け、ネジ穴２０１のうち他方に螺合させたボルトと直交して接するビスを通すために、本体の側面のうち背面側から手前に向かってビス穴を空けた、ことを特徴とする。【選択図】図１
0003200450.tif 000002
【実用新案登録請求の範囲】
【請求項１】
柱状体の本体に内周面が螺旋状の雌ネジとなるようにネジ穴２００、２０１を２つ上底面から下底面まで貫通させ、
前記ネジ穴２００のうち一方に螺合させたボルト３１０と直交して接するビス２２０を通すために、前記本体の側面のうち正面側から奥に向かってビス穴２１０を空け、
前記ネジ穴２０１のうち他方に螺合させたボルト３１１と直交して接するビス２２１を通すために、前記本体の側面のうち背面側から手前に向かってビス穴２１１を空けた、
ことを特徴とする二連式ナット。
【考案の詳細な説明】
【技術分野】
【０００１】
本考案は、ナットを横に２つ連結した二連式ナットに関する。
【背景技術】
【０００２】
建物などを建築する際に、柱や梁など建物の構造を支える躯体３００を組み立てる。躯体３００から吊り下げて設置する物がある場合などには、躯体３００からボルト３１０を延ばして設置することがある。例えば、図６に示すように、ハンガー３３１で物を吊るす場合に、ハンガー３３１を付けたナット３２１をボルト３１０に装着していた。なお、長さが３メートル以内であれば、現場で切断してボルト３１０を設置していたが、３メートルを超える場合には、ボルト３１０の先に袋ナット１５０やターンバックルなどを使用してボルト３１１を接続し延長していた。
【０００３】
袋ナット１５０は、ネジ穴１６０が上下に貫通するが、内部の中心付近に突部１７０があり、一方側から反対側に抜けないようになっている。即ち、ネジ穴１６０に対し、上側からボルト３１０を嵌め込み、下側からボルト３１１を嵌め込むことで、両者を連結する。ボルト３１０もボルト３１１もそれぞれ袋ナット１５０の中心あたりまで入るが、袋ナット１５０が短いとボルト３１０、３１１が浅くしか入らないので、振動などで弛んで抜けてしまうこともあった。なお、特許文献１に示すように、２つのボルト体をターンバックルで連結する発明も公開されている。
【先行技術文献】
【特許文献】
【０００４】
【特許文献１】特開平１１−３３５０８９号公報
【考案の概要】
【考案が解決しようとする課題】
【０００５】
袋ナットを使用した場合は、両方のボルトが奥まで入る範囲が限られているので、振動などで締まる方向よりも弛む方向に進んで抜けてしまう可能性がある。また、ターンバックルを使用した場合も、両方のボルトの軸は一直線上にあるので、ターンバックル自体が回転することで、一方に弛んで抜けてしまう可能性もある。
【０００６】
そこで、ボルトの長さが足りなくて延長用のボルトを接続した場合に、振動により弛んで抜けてしまうことのない二連式ナットを提供することを目的とする。
【課題を解決するための手段】
【０００７】
上記の課題を解決するために、本考案である二連式ナットは、柱状体の本体に内周面が螺旋状の雌ネジとなるようにネジ穴を２つ上底面から下底面まで貫通させた、ことを特徴とする。
【０００８】
また、本考案である二連式ナットは、前記ネジ穴のうち一方に螺合させたボルトと直交して接するビスを通すために、前記本体の側面のうち正面側から奥に向かってビス穴を空け、前記ネジ穴のうち他方に螺合させたボルトと直交して接するビスを通すために、前記本体の側面のうち背面側から手前に向かってビス穴を空けた、ことを特徴とする。
【考案の効果】
【０００９】
本考案によれば、ボルトの長さが足りなくて延長用のボルトを接続した場合でも、振動により弛んで抜けてしまうことがない。
【図面の簡単な説明】
【００１０】
【図１】本考案である二連式ナットの斜視図である。
【図２】本考案である二連式ナットの正面図、平面図及び側面図である。
【図３】本考案である二連式ナットの使用時の状況を示す図である。
【図４】本考案である二連式ナットのボルト固定の状況を示す図である。
【図５】本考案である二連式ナットの両ナットの縦位置をずらした場合を示す図である。
【図６】従来のナットを示す図である。
【考案を実施するための形態】
【００１１】
以下に、本考案の実施形態について図面を参照して詳細に説明する。なお、同一機能を有するものは同一符号を付け、その繰り返しの説明は省略する場合がある。
【実施例１】
【００１２】
まず、本考案である二連式ナットの構造について説明する。二連式ナット１００は、柱状体の本体に内周面が螺旋状の雌ネジとなるようにネジ穴２００、２０１を２つ上底面から下底面まで貫通させ、前記ネジ穴２００のうち一方に螺合させたボルト３１０と直交して接するビス２２０を通すために、前記本体の側面のうち正面側から奥に向かってビス穴２１０を空け、前記ネジ穴２０１のうち他方に螺合させたボルト３１１と直交して接するビス２２１を通すために、前記本体の側面のうち背面側から手前に向かってビス穴２１１を空けた、ことを特徴とする。
【００１３】
図１は、二連式ナットの斜視図であり、図２（ａ）は、二連式ナットの正面図であり、図２（ｂ）は、二連式ナットの平面図であり、図２（ｃ）は、二連式ナットの側面図である。なお、二連式ナット１００は、本体が柱状体であり、ネジ穴２００、２０１が空いた面を底面とし、上底面と下底面の間を側面とする。また、側面のうち、ネジ穴２００とネジ穴２０１が横に並ぶ広い側を正面側又は背面側とし、ネジ穴２００とネジ穴２０１が前後に重なる狭い側を左側面側又は右側面側とする。また、一の側面と隣接する側面との間の辺を頂辺とする。
【００１４】
図１に示すように、二連式ナット１００は、ナットを横に２つ連結した構造である。本体は、主に金属製であり、金型等を使用して一体成形しても良いし、２つのナットを横に並べて接着剤で貼着する等して連結しても良い。本体には上底面から下底面まで２つのネジ穴２００、２０１が貫通し、ネジ穴２００、２０１の内周面には螺旋状に雌ネジが刻まれる。
【００１５】
本体の高さは、高ナットのように、ネジ穴２００、２０１に通したボルトを保持するのに必要な長さにする。例えば、外径が約１．５ｃｍで内径が約１ｃｍの六角ナットの場合、六角柱の高さを約３ｃｍにする等である。
【００１６】
本体を一体成形する場合は、正面側及び背面側を平面上にし、左側面側及び右側面側をナットの頂辺のように三角形状にしても良いし、平面状にしても良いし、湾曲状に丸めても良い。また、２つの六角ナットを連結する場合は、側面のうち平面の部分同士を接着又は溶接する。一のナットの正面側の頂辺と、他のナットの正面側の頂辺との間の凹部、及び背面側の同様の凹部を平面状に埋めても良い。
【００１７】
図２に示すように、本体の正面側にはビス穴２１０が空けられ、背面側にはビス穴２１１が空けられる。ビス穴２１０は、ネジ穴２００の内周面に接し、ビス穴２１１は、ネジ穴２０１の内周面に接する。なお、ネジ穴２００とビス穴２１０とは軸が直交する向きとなっており、ネジ穴２０１とビス穴２１１とも軸が直交する向きとなっている。
【００１８】
ビス穴２１０は、正面側から奥に向かって空けられるが、背面側には貫通させなくても良い。同様に、ビス穴２１１は、背面側から手前に向かって空けられるが、正面側には貫通させなくても良い。ビス穴２１０とビス穴２１１とは、近接すると間の強度が弱くなり、場合によっては繋がってしまうとも限らないので、同じ高さとならないように空けることが好ましい。なお、ビス穴２１０とビス穴２１１の一方だけでも構わない。
【００１９】
次に、二連式ナットの使用態様について説明する。図３は、二連式ナットの使用時の状況を示す図である。図４は、二連式ナットのボルト固定の状況を示す図である。
【００２０】
図３に示すように、例えば、躯体３００から下方にボルト３１０を延びている場合に、ボルト３１０の長さよりも先の位置に配管を通すとする。ボルト３１０に二連式ナット１００を介してボルト３１１を連結する。具体的には、二連式ナット１００の一方のネジ穴２００に対し、本体の上面から下面に貫通するようにボルト３１０を捻じ込み、他方のネジ穴２０１に対し、本体の下面から上面に貫通するようにフリーのボルト３１１を捻じ込む。
【００２１】
その上で、ボルト３１１の下部に吊ナット３２０が螺合される。なお、吊ナット３２０には、吊金具３３０が固定されており、吊金具３３０と配管を通すための配管受金具３４０とが留具３５０で接続される。
【００２２】
また、二連式ナット１００とボルト３１０、３１１とをより強固に保持するために、本体のビス穴２１０、２１１にビス２２０、２２１を通す。ビス２２０、２２１は、一般的なネジを使用すれば良い。
【００２３】
図４に示すように、本体の正面側からビス２２０を捻じ込み、背面側からビス２２１を捻じ込む。ビス２２０は、ネジ穴２００に螺合されたボルト３１０に接し、ビス２２１は、ネジ穴２０１に螺合されたボルト３１１に接する。ビス２２０とボルト３１０とは軸が直交する向きであり、ビス２２１とボルト３１１とも軸が直交する向きである。
【００２４】
ビス２２０がボルト３１０に接したときの摩擦力や、ボルト３１０に螺旋状に刻まれたネジの凹凸に掛かることによって、ボルト３１０が上下に移動しないように固定される。同様に、ビス２２１がボルト３１１に接したときの摩擦力や、ボルト３１１に螺旋状に刻まれたネジの凹凸に掛かることによって、ボルト３１１が上下に移動しないように固定される。すなわち、ビス２２０、２２１を通したことにより、ボルト３１０、３１１の回転が抑制される。
【００２５】
このように、二連式ナット１００を使用すれば、ボルト３１０の長さが足りなくて延長用のボルト３１１を接続した場合でも、ボルト３１０は本体のネジ穴２００を貫通しており、ボルト３１１はネジ穴２０１を貫通しているので、袋ナットのように捻じ込みが浅くなることはなく、振動により弛んで抜けてしまうことがない。
【００２６】
また、ボルト３１０とボルト３１１の軸が一直線上にないことから、ターンバックルのように二連式ナット１００が勝手に一方のボルトの周りを回転して上方又は下方に移動してしまうこともない。さらに、ボルト３１０とボルト３１１の軸がずれていることから、一方のボルトを上方又は下方に移動させて高さを調整することも可能である。
【００２７】
次に、二連式ナットの応用例について説明する。図５は、二連式ナットの両ナットの縦位置をずらした場合を示す図である。
【００２８】
図５に示すように、ナット１１０とナット１１１を横に連結した二連式ナット１０１の場合に、ナット１１０とナット１１１の上端の位置を合わせずに一方を上方又は下方にずらした位置で連結させても良い。また、ナット１１０とナット１１１の高さが異なるようにしても良い。例えば、ナット１１０は、ナット１１１よりもズレ１２０の分だけ上方の位置とし、ナット１１１は、ナット１１０よりズレ１２１の分だけ下方の位置となるように連結する。
【００２９】
その他の例として、ナットを横に３つ以上連結した複連式ナットにしても良い。また、一のネジ穴と他のネジ穴の内径を別の大きさにしても良い。ネジ穴の間隔は任意であり、３つ以上の場合でも等間隔にしなくても良い。さらに、一のナットをＬ字型やＴ字型にすることにより、上下の縦方向だけでなく、左右又は前後の横方向などに対応可能としても良い。
【００３０】
以上、本考案の実施例を述べたが、これらに限定されるものではない。
【符号の説明】
【００３１】
１００、１０１：二連式ナット
１１０、１１１：ナット
１２０、１２１：ズレ
１５０：袋ナット
１６０：ネジ穴
１７０：突部
２００、２０１：ネジ穴
２１０、２１１：ビス穴
２２０、２２１：ビス
３００：躯体
３１０、３１１：ボルト
３２０：吊ナット
３２１：ナット
３３０：吊金具
３３１：ハンガー
３４０：配管受金具
３５０：留具
【図１】
0003200450.tif 000003
【図２】
0003200450.tif 000004
【図３】
0003200450.tif 000005
【図４】
0003200450.tif 000006
【図５】
0003200450.tif 000007
【図６】
0003200450.tif 000008